(57)【要約】【課題】  データ放送を利用したキャンペーン方法において、応募者がコマーシャルを複数回視聴したことを確認できるようにする。【解決手段】  送信機４００からは、データ放送により、コマーシャルに連動したページと、コマーシャルを一意に識別するＣＭ識別子とが配信される。視聴者の操作により、テレビジョン受像機１００に、データ放送の画面が表示されたのち、画面の案内に従って、キャンペーンへの応募操作が行われると、テレビジョン受像機は、応募者の氏名を示す氏名データと住所を示す住所データと、ＣＭ識別子とをサーバ装置３００へ送信する。サーバ装置３００は、受信したデータを記憶する。【選択図】        図７
2005268880.tif 000002
【特許請求の範囲】
【請求項１】
コンテンツと、該コンテンツを一意に識別するコンテンツ識別子とを含むコンテンツデ
ータを記憶するコンテンツ記憶手段と、
前記記憶手段に記憶されているコンテンツデータを配信する配信手段と
を有する配信装置と、
応募者を特定する応募者データを受け取る応募者データ入力手段と、
前記配信手段により配信されたコンテンツデータを受信するデータ受信手段と、
前記データ受信手段により受信されたコンテンツデータに含まれているコンテンツを表
示するコンテンツ表示手段と、
キャンペーンへの応募指示を受け取る応募指示入力手段と、
前記応募指示入力手段により応募指示が受け取られた場合、前記コンテンツ表示手段に
より表示されているコンテンツのコンテンツ識別子と、前記応募者データ入力手段により
受け取られた応募者データとを送信する送信手段と
を有する端末装置と、
前記送信手段により送信された応募者データとコンテンツ識別子とを受信する応募者デ
ータ受信手段と、
前記応募者データ受信手段により受信された応募者データとコンテンツ識別子とを対応
付けて記憶する記憶手段と
を有するデータ受信装置と
を有するキャンペーンシステム。
【請求項２】
前記データ受信装置は、前記記憶手段に記憶された応募者データと同じ応募者データが
前記データ受信手段により受信された回数を、個々の応募者データ毎にカウントするカウ
ント手段と有し、
前記記憶手段は、前記カウント手段によりカウントされた回数を応募者データ毎に記憶
すること
を特徴とする請求項１に記載のキャンペーンシステム。
【請求項３】
コンテンツと、該コンテンツを一意に識別するコンテンツ識別子とを含むコンテンツデ
ータを記憶するコンテンツ記憶手段と、
前記記憶手段に記憶されているコンテンツデータを配信する配信手段と
を有する配信装置と、
前記配信手段により配信されたコンテンツデータを受信するデータ受信手段と、
前記データ受信手段により受信されたコンテンツデータに含まれているコンテンツとコ
ンテンツ識別子とを表示するコンテンツ表示手段と、
前記コンテンツ表示手段により表示されたコンテンツとコンテンツ識別子の印刷を指示
する印刷指示を受け取る印刷指示入力手段と、
前記印刷指示入力手段が印刷指示を受け取った場合、前記コンテンツ表示手段により表
示されたコンテンツとコンテンツ識別子を表す画像の印刷を印刷装置に行わせる印刷手段
と
を有する端末装置と
を有するキャンペーンシステム。
【請求項４】
前記印刷装置は、印刷を行う際に使用したインク量を示すインク量データを前記端末装
置へ送信し、
前記印刷装置から送信されるインク量データを受信するインク量データ受信手段と、
応募者を特定する応募者データを受け取る応募者データ入力手段と、
前記インク量データ受信手段によりインク量データが受信された場合、前記応募者デー
タ入力手段により受け取られた応募者データと、前記インク量データ受信手段により受信
されたインク量データを送信する送信手段と
を前記端末装置は有し、
さらに、前記送信手段により送信された応募者データとインク量データとを受信する応
募者データ受信手段と、
前記応募者データ受信手段により受信された応募者データとインク量データとを記憶す
る記憶手段と、
前記記憶手段に  より記憶された応募者データと同じ応募者データが前記応募者データ
受信手段により受信された場合、該応募者データに対応付けて前記記憶手段に記憶されて
いるインク量データに、前記応募者データ受信手段により受信されたインク量データを加
算するインク量加算手段とを有するデータ受信装置
を有することを特徴とする請求項３に記載のキャンペーンシステム。
【発明の詳細な説明】
【技術分野】
【０００１】
本発明は、放送波と通信システムを利用してキャンペーンを行う技術に関する。
【背景技術】
【０００２】
従来、企業が消費者の個人情報を得るために行うキャンペーン方法としては、消費者が
商品に添付されている応募券を葉書に貼付けて郵送し、葉書を受け取った企業が応募者に
種々の景品を提供する方式が一般的であったが、近年、インターネットを利用した方法が
考案されている（例えば、特許文献１参照）。
特許文献１に記載されている方法においてキャンペーンの応募者は、コンピュータ装置
を用いてサーバ装置へアクセスし、個人情報を登録する。個人情報が登録されると、応募
用紙が応募者のコンピュータ端末へ送信される。応募者は、この応募用紙を印刷し、応募
用紙に応募券を貼付してキャンペーンへ応募する。
【特許文献１】特開２００２−１４０６００号公報
【発明の開示】
【発明が解決しようとする課題】
【０００３】
さて、特許文献１に記載されている方法では、応募方法などのキャンペーンに関する説
明は、インターネットを介して提供される。このような構成では、応募者が能動的にサー
バ装置へアクセスしないとキャンペーンに関する情報を得られないため、不特定多数の者
へ広範にキャンペーンを知らしめて、多数の個人情報を得ることが難しくなる。
【０００４】
不特定多数の者へ広範にキャンペーンを知らしめる方法としては、テレビ放送のコマー
シャルを用いた方法がある。近年、デジタルテレビ放送においては、双方向サービスが提
供されており、視聴者の側から、データを送信することも可能となっているので、このサ
ービスを利用すれば、キャンペーンを実施する側は、広告を行いつつ、上述した問題点を
解決することが可能となり、また、視聴者の側は、キャンペーンに容易に参加することが
可能となる。
【０００５】
ところで、キャンペーンを実施する企業の側としては、コマーシャル放送を利用してし
てキャンペーンを行うのであるから、広告の効果も得られることが望ましい。例えば、デ
ータ放送を利用したキャンペーンにおいて、コマーシャルを複数回視聴したことを応募の
条件とするといった方法によれば、視聴者は、何気なくコマーシャルを見るのではなく、
コマーシャルを注視するようになるので、より広告の効果が得られることとなる。しかし
ながら、これまでの双方向サービスでは、視聴者がコマーシャルを複数回視聴して応募資
格を得たことを、キャンペーンの実施者側へ知らせることが可能となっていない。
【０００６】
本発明は、上述した背景の下になされたものであり、データ放送を利用したキャンペー
ン方法において、応募者がコマーシャルを複数回視聴したことを確認できる技術を提供す
ることを目的とする。
【課題を解決するための手段】
【０００７】
上述した課題を解決するために本発明は、コンテンツと、該コンテンツを一意に識別す
るコンテンツ識別子とを含むコンテンツデータを記憶するコンテンツ記憶手段と、前記記
憶手段に記憶されているコンテンツデータを配信する配信手段とを有する配信装置と、応
募者を特定する応募者データを受け取る応募者データ入力手段と、前記配信手段により配
信されたコンテンツデータを受信するデータ受信手段と、前記データ受信手段により受信
されたコンテンツデータに含まれているコンテンツを表示するコンテンツ表示手段と、キ
ャンペーンへの応募指示を受け取る応募指示入力手段と、前記応募指示入力手段により応
募指示が受け取られた場合、前記コンテンツ表示手段により表示されているコンテンツの
コンテンツ識別子と、前記応募者データ入力手段により受け取られた応募者データとを送
信する送信手段とを有する端末装置と、前記送信手段により送信された応募者データとコ
ンテンツ識別子とを受信する応募者データ受信手段と、前記応募者データ受信手段により
受信された応募者データとコンテンツ識別子とを対応付けて記憶する記憶手段とを有する
データ受信装置とを有するキャンペーンシステム提供する。
このキャンペーンシステムにおいては、配信装置から配信されたコンテンツデータが表
すコンテンツが端末装置において表示され、キャンペーンへの応募指示が入力されると、
応募者データと、表示されたコンテンツのコンテンツ識別子とがデータ受信装置へ送信さ
れる。データ受信装置は、送信された応募者データとコンテンツ識別子を記憶するので、
応募者データが表す応募者がコンテンツを閲覧した回数を知ることができる。
【０００８】
また、この態様において、前記データ受信装置は、前記記憶手段に記憶された応募者デ
ータと同じ応募者データが前記データ受信手段により受信された回数を、個々の応募者デ
ータ毎にカウントするカウント手段と有し、前記記憶手段は、前記カウント手段によりカ
ウントされた回数を応募者データ毎に記憶するようにしてもよい。この態様によれば、応
募者データが表す応募者がコンテンツを閲覧した回数を容易に知ることが可能となる。
【０００９】
また、本発明は、コンテンツと、該コンテンツを一意に識別するコンテンツ識別子とを
含むコンテンツデータを記憶するコンテンツ記憶手段と、前記記憶手段に記憶されている
コンテンツデータを配信する配信手段とを有する配信装置と、前記配信手段により配信さ
れたコンテンツデータを受信するデータ受信手段と、前記データ受信手段により受信され
たコンテンツデータに含まれているコンテンツとコンテンツ識別子とを表示するコンテン
ツ表示手段と、前記コンテンツ表示手段により表示されたコンテンツとコンテンツ識別子
の印刷を指示する印刷指示を受け取る印刷指示入力手段と、前記印刷指示入力手段が印刷
指示を受け取った場合、前記コンテンツ表示手段により表示されたコンテンツとコンテン
ツ識別子を表す画像の印刷を印刷装置に行わせる印刷手段とを有する端末装置とを有する
キャンペーンシステムを提供する。
このキャンペーンシステムによれば、配信装置から配信されたコンテンツデータが表す
コンテンツとコンテンツ識別子が端末装置において表示され、この表示の印刷指示が入力
されると、表示されたコンテンツとコンテンツ識別子を表す画像の印刷が印刷装置で行わ
れる。この印刷された画像が応募券として応募されると、応募者がコンテンツを閲覧した
回数を知ることができる。
【００１０】
また、この態様において、前記印刷装置は、印刷を行う際に使用したインク量を示すイ
ンク量データを前記端末装置へ送信し、前記印刷装置から送信されるインク量データを受
信するインク量データ受信手段と、応募者を特定する応募者データを受け取る応募者デー
タ入力手段と、前記インク量データ受信手段によりインク量データが受信された場合、前
記応募者データ入力手段により受け取られた応募者データと、前記インク量データ受信手
段により受信されたインク量データを送信する送信手段とを前記端末装置は有し、
さらに、前記送信手段により送信された応募者データとインク量データとを受信する応
募者データ受信手段と、前記応募者データ受信手段により受信された応募者データとイン
ク量データとを記憶する記憶手段と、前記記憶手段により記憶された応募者データと同じ
応募者データが前記応募者データ受信手段により受信された場合、該応募者データに対応
付けて前記記憶手段に記憶されているインク量データに、前記応募者データ受信手段によ
り受信されたインク量データを加算するインク量加算手段とを有するデータ受信装置を有
するようにしてもよい。
【発明を実施するための最良の形態】
【００１１】
［Ａ．第１実施形態］
［Ａ−１．第１実施形態の構成］
図１は、本発明の実施形態に係わる通信システムの全体構成を例示した図である。図１
に示したように、この通信システムは、デジタルテレビ放送を行う送信機４００と、デジ
タルテレビ放送を受信するテレビジョン受像機１００と、テレビジョン受像機１００に接
続されたプリンタ装置２００とによって構成されている。
【００１２】
＜送信機４００の構成＞
送信機４００は、デジタルテレビ放送を行う放送局により運用される装置であり、各種
番組やコマーシャルの映像を表す映像データと、音声を表す音声データと、文字やグラフ
ィック画面からなるページを表すデータを含むデジタルテレビ信号を出力する。送信機４
００から出力されたデジタルテレビ信号は、送信アンテナ５００から電波として送り出さ
れる。
【００１３】
なお、デジタルテレビ放送では、従来のアナログテレビ放送と異なり、番組連動データ
放送と呼ばれるデータ放送により、放送中の番組やコマーシャルに関連したページを提供
することが可能となっている。
本実施形態において送信機４００は、キャンペーンを行う企業のコマーシャルの映像を
表す映像データと、音声を表す音声データと、コマーシャルに関連したページを表すデー
タであって、ＢＭＬ（Broadcast Markup Language）に従って記述されたデータ（以下、
このデータをＢＭＬデータと称する）を含むデジタルテレビ信号を出力する。このＢＭＬ
データが、ＢＭＬを解釈可能なＢＭＬブラウザによって解釈されると、図２に例示したよ
うに、コマーシャルの映像と共に、キャンペーンの応募券と、応募券を一意に識別する応
募券識別子とが表示される。この応募券識別子は、コマーシャルに連動したページに一意
に対応付けられているとも言えるため、コマーシャルを識別する識別子ともいうことがで
きる。
【００１４】
＜プリンタ装置２００の構成＞
プリンタ装置２００は、例えば、インクジェット方式のプリンタであり、外部の装置か
ら供給される印刷データに従って、印刷データが表す画像を印刷用紙に印刷する。図３に
、プリンタ装置２００のハードウェア構成のうち、本発明に係わる部分の構成を示す。図
３に示したように、プリンタ装置２００の各部は、バス２０１に接続されており、このバ
ス２０１を介して各部間でデータの授受を行う。
【００１５】
印刷部２０７は、インクカートリッジや、インクを射出するインク射出機構、印刷用紙
を給紙し、印刷済みの用紙を排紙する用紙送り機構等（いずれも図示略）を具備しており
、ＣＰＵ２０２の制御の下、印刷用紙に印刷を行う。
通信部２０６は、外部装置とデータ通信を行う通信インターフェースとして機能する。
通信部２０６は、通信線（図示略）により、印刷データを供給する装置に接続され、ＣＰ
Ｕ２０２の制御の下、外部装置から送られた印刷データをＣＰＵ２０２へ供給し、ＣＰＵ
２０２から供給されたデータを通信部２０６に接続された外部装置へ供給する。
記憶部２０５は、不揮発性メモリを具備しており、プリンタ装置２００の制御に係わる
各種データを記憶する。
【００１６】
ＲＯＭ２０３は、プリンタ装置２００を制御するための制御プログラムを記憶している
。ＣＰＵ２０２は、電源が入れられると、ＲＯＭ２０３から制御プログラムを読出し、Ｒ
ＡＭ２０４を作業エリアとして制御プログラムを実行し、バス２０１に接続された各部の
制御を行う。ＣＰＵ２０２が、制御プログラムを起動すると、通信部２０６が受け取った
印刷データに従って、印刷データが表す画像を印刷用紙に印刷する機能が実現する。
【００１７】
＜テレビジョン受像機１００の構成＞
テレビジョン受像機１００は、デジタルテレビ放送を受信可能な受信機であり、送信ア
ンテナ５００から送り出されたデジタルテレビ信号を受信し、デジタルテレビ信号に含ま
れている映像データが表す画像やＢＭＬデータが表すページを表示したり、音声データが
表す音声を出力する。図４に、テレビジョン受像機１００のハードウェア構成のうち、本
発明に係わる部分の構成を示す。
【００１８】
アンテナ１５０が接続されているチューナ部１０７は、指定されたチャンネルのデジタ
ルテレビ信号をアンテナ１５０にてとらえられた電波から抽出してデコード部１０８へ出
力する。
デコード部１０８は、チューナ部１０７から供給されたデジタルテレビ信号を復調し、
復調された信号から、映像データと、音声データと、データ放送に係わるＢＭＬデータと
を抽出する。デコード部１０８は、映像データを映像信号処理部１１０に供給し、音声デ
ータを音声信号処理部１１５へ供給する。また、デコード部１０８は、ＢＭＬデータをデ
ータ格納部１０９へ供給する。
データ格納部１０９は、揮発性メモリを具備しており、デコード部１０８から供給され
たＢＭＬデータを記憶する。
【００１９】
音声信号処理部１１５は、図示を省略したスピーカを具備しており、音声データが表す
音声をスピーカから出力する。
映像信号処理部１１０には、デコード部１０８から出力された映像データと、ＣＰＵ１
０２から出力された画像データが入力される。映像信号処理部１１０は、入力された映像
データに従って、番組やコマーシャルなどの映像を表す映像信号を生成し、生成した映像
信号を表示部１１１へ供給する。また、映像信号処理部１１０は、ＣＰＵ１０２から供給
される、画像データに従って、ページを表す映像信号を生成し、生成した映像信号を表示
部１１１へ供給する。
表示部１１１は、例えば液晶ディスプレイ等の表示デバイスを具備しており、映像信号
処理部１１０から供給される映像信号に従って、番組やコマーシャルなどの映像や、デー
タ放送の画面を表示する。
【００２０】
リモートコントローラ１１３は、テレビジョン受像機１００を操作するための装置であ
り、データ放送の画面を表示させるための「ｄ」ボタンや、データ放送の画面においてメ
ニュー操作を行うための「青」，「赤」，「緑」，「黄」の色ボタン、各種メニュー操作
を行うための「決定」キー、「キャンセル」キー、上下左右のカーソルキー、選局を行う
ための数字キー、表示部１１１に表示されたデータ放送画面の印刷を指示する「印刷」キ
ーなど複数のキーを具備している。リモートコントローラ１１３は、具備しているキーが
押下されると、押下されたキーを示す赤外線信号を出力する。
赤外線受信部１１２は、リモートコントローラから出力された赤外線信号を電気信号に
変換する受光ユニット（図示略）を具備しており、変換後の電気信号をＣＰＵ１０２へ供
給する。
【００２１】
インターフェース部１０６は、プリンタ装置２００と通信を行う通信インターフェース
として機能し、プリンタ装置２００とテレビジョン受像機１００とを接続する接続ケーブ
ルが接続される。
通信部１１４は、モデム（図示略）を具備しており、通信線（図示略）で公衆電話網（
図示略）に接続されている。通信部１１４は、同じく公衆電話網に接続されている他の装
置とデータ通信を行う通信インターフェースとして機能する。通信部１１４は、ＣＰＵ１
０２の制御の下、公衆電話網６００から送られたデータをＣＰＵ１０２へ供給し、ＣＰＵ
１０２から供給されたデータを公衆電話網６００へ送出する。
【００２２】
制御部１０１は、ＣＰＵ１０２と、ＲＯＭ１０３と、ＲＡＭ１０４と、記憶部１０５と
を具備している。記憶部１０５は、不揮発性メモリを具備しており、選局中のチャンネル
のチャンネル番号や音量など、テレビジョン受像機１００の各部を制御するための各種デ
ータを記憶する。ＲＯＭ１０３は、テレビジョン受像機１００を制御するための制御プロ
グラムを記憶している。ＣＰＵ１０２は、電源が入れられると、ＲＯＭ１０３から制御プ
ログラムを読出し、ＲＡＭ１０４を作業エリアとして制御プログラムを実行し、各部の制
御を行う。
【００２３】
ＣＰＵ１０２は、制御プログラムを起動した後、記憶部１０５に記憶されているチャン
ネル番号を読出し、読出したチャンネル番号が示すチャンネルのデジタルテレビ信号をチ
ューナ部１０７に抽出させる。
また、ＣＰＵ１０２は、制御プログラムを起動すると、表示部１１１に表示されている
画面と、赤外線受信部１１２から供給される電気信号に基づいて、リモートコントローラ
１１３の操作者の指示を判断し、判断結果に応じて各部の制御を行う。例えば、リモート
コントローラ１１３の操作者が、チャンネル切替を行うべく、数字キーを押下すると、押
下された数字キーを示す信号がＣＰＵ１０２に入力される。ＣＰＵ１０２は、この信号が
表す数字キーの数字を判断し、押下された数字キーが表すチャンネルのデジタルテレビ信
号をチューナ部１０７に抽出させる。
【００２４】
ＣＰＵ１０２が、制御プログラムを起動した後、「ｄ」ボタンが押下された旨を示す信
号がＣＰＵ１０２に入力されると、ＣＰＵ１０２は、ＢＭＬを解釈可能なＢＭＬブラウザ
を実現し、ＢＭＬデータに従ったページを表示１１１に表示させる。ＢＭＬブラウザが実
現すると、公衆電話網に接続されたサーバ装置と通信部１１４を用いて通信を行うことが
可能となり、デジタルテレビ放送で提供される双方向サービスを利用することが可能とな
る。
【００２５】
また、ＢＭＬブラウザが実現すると、データ放送の画面を印刷することが可能となる。
赤外線受信部１１２からＣＰＵ１０２に、「印刷」ボタンが押下された旨を示す信号が入
力されると、ＣＰＵ１０２は、表示中のページを表す印刷データを生成し、インターフェ
ース部１０６を制御して、印刷データを出力する。
【００２６】
［Ａ−２．第１実施形態の動作］
次に本実施形態の動作について説明する。
なお、以下の説明において、送信機４００からは、キャンペーンを実施する企業の商品
を紹介する第１のパターンのコマーシャルと、第２のパターンのコマーシャルとの２つの
パターンのコマーシャルと、第１のパターンのコマーシャルに関連したページ（以下、こ
のページを第１ページと称する）と、第２のパターンのコマーシャルに関連したページ（
以下、このページを第２ページと称する）とが放送される場合を想定する。また、これら
のページは、番組連動型のページであって、情報提供型のページである場合を想定する。
また、キャンペーンへの応募の方法としては、第１のパターンのコマーシャルに関連し
たページに示される応募券と、第２のパターンのコマーシャルに関連したページに示され
る応募券とを印刷し、印刷した応募券を葉書に貼付けて応募する方法を想定する。
【００２７】
送信機４００が、第１ページを表すＢＭＬデータと、第２ページを表すＢＭＬデータと
を含むデジタルテレビ信号を出力すると、このデジタルテレビ信号は、送信アンテナ５０
０から電波として送り出される。また、送信機４００が、第１のパターンのコマーシャル
の映像データを含むデジタルテレビ信号を出力すると、このデジタルテレビ信号は、送信
アンテナ５００から電波として送り出される。これらの電波が、アンテナ１５０にてとら
えられると、チューナ部１０７はデジタルテレビ信号を抽出し、抽出した信号をデコード
部１０８へ出力する。デコード部１０８では、チューナ部１０７から供給されたデジタル
テレビ信号が復調され、復調された信号から、映像データとＢＭＬデータとが抽出される
。このうち、映像データは映像信号処理部１１０へ出力され、ＢＭＬデータはデータ格納
部１０９に供給されて格納される。
【００２８】
映像信号処理部１１０では、第１のパターンのコマーシャルの映像を表す映像信号が、
入力された映像データに従って生成され、生成された映像信号が表示部１１１へ供給され
る。表示部１１１は、入力された映像信号に従って表示デバイスを制御し、第１のパター
ンのコマーシャルの映像を表示する。
ここで、視聴者がリモートコントローラの「ｄ」ボタンを押下すると、「ｄ」ボタンが
押下されたことを示す赤外線信号がリモートコントローラ１１３から出力される。この赤
外線信号が赤外線受信部１１２にて受信されると、赤外線信号は電気信号に変換されてＣ
ＰＵ１０２へ供給される。
【００２９】
ＣＰＵ１０２は、「ｄ」ボタンが押下されたことを示す電気信号が入力されると、ＢＭ
Ｌブラウザを実現し、表示されている映像に関連しているＢＭＬデータをデータ格納部１
０９から読出す。読出されたＢＭＬデータがＢＭＬブラウザにより解釈されると、図２に
示したページを表す画像データが生成される（図５ステップＳＡ１：ＹＥＳ、ステップＳ
Ａ２：ＹＥＳ、ステップＳＡ３）。
ＣＰＵ１０２がこの画像データを映像信号処理部１１０へ供給すると（ステップＳＡ４
）、画像データを受け取った映像信号処理部１１０は、入力された画像データを用いて、
図２に示したようにページとコマーシャルの映像とを表す映像信号を生成し、生成した映
像信号を表示部１１１へ供給する。表示部１１１は、この映像信号が入力されると、入力
された映像信号に従って、図２に示したように、コマーシャルの映像とキャンペーンの応
募券を含むページを表示する。
【００３０】
このページを見た視聴者が、リモートコントローラ１１３の「印刷」ボタンを押下する
と、「印刷」ボタンが押下されたことを示す赤外線信号がリモートコントローラ１１３か
ら出力される。この赤外線信号が赤外線受信部１１２にて受信されると、赤外線信号は電
気信号に変換されてＣＰＵ１０２へ供給される。
ＣＰＵ１０２は、「印刷」ボタンが押下されたことを示す電気信号が入力されると（ス
テップＳＡ１：ＮＯ、ステップＳＡ６；ＹＥＳ）、表示中のページを表す印刷データを生
成し（ステップＳＡ７）、インターフェース部１０６を制御して、印刷データを出力する
（ステップＳＡ８）。この印刷データが接続ケーブルを介してプリンタ装置２００の通信
部２０６に入力されると、プリンタ装置２００のＣＰＵ２０２は、入力された印刷データ
に従って、印刷部２０７を制御し、印刷データが表す画像を印刷用紙に印刷する。
【００３１】
この後、送信機４００が、第２のパターンのコマーシャルの映像データを含むデジタル
テレビ信号を出力すると、このデジタルテレビ信号は、送信アンテナ５００から電波とし
て送り出される。この電波が、アンテナ１５０にてとらえられると、上述した動作と同様
に、第２のパターンのコマーシャルの映像を表す映像信号が生成され、第２のパターンの
コマーシャル映像が表示部１１１に表示される。
【００３２】
第２のパターンのコマーシャル映像が表示されると、これに伴い、第２のパターンのコ
マーシャルに関連したＢＭＬデータがデータ格納部１０９から読出され、読出されたＢＭ
ＬデータがＢＭＬブラウザにより解釈される。読出されたＢＭＬデータがＢＭＬブラウザ
により解釈されると、図６に示したページを表す画像データがＣＰＵ１０２により生成さ
れる。
【００３３】
このページを見た視聴者が、リモートコントローラ１１３の「印刷」ボタンを押下する
と、「印刷」ボタンを示す赤外線信号がリモートコントローラ１１３から出力される。こ
の赤外線信号が赤外線受信部１１２にて受信されると、赤外線信号は電気信号に変換され
てＣＰＵ１０２へ供給される。
ＣＰＵ１０２は、「印刷」ボタンが押下されたことを示す電気信号が入力されると（ス
テップＳＡ１：ＮＯ、ステップＳＡ６：ＹＥＳ）、表示中のページを表す印刷データを生
成し（ステップＳＡ７）、インターフェース部１０６を制御して、印刷データを出力する
（ステップＳＡ８）。この印刷データが接続ケーブルを介してプリンタ装置２００の通信
部２０６に入力されると、プリンタ装置２００のＣＰＵ２０２は、入力された印刷データ
に従って、印刷部２０７を制御し、印刷データが表す画像を印刷用紙に印刷する。
この後、視聴者は、印刷されたページの応募券の部分を切り取り、２種類の応募券を葉
書に貼付し、キャンペーンを実施している企業へ郵送する。
応募券に記載されている識別子は、ＢＭＬデータにより表されるページに一意に対応付
けられているので、コマーシャルを識別する識別子とも言える。このため、葉書を受け取
った企業側は、応募者が、コマーシャルを見た回数を確認することができる。
【００３４】
以上説明したように、本実施形態によれば、印刷された応募券により、応募者がコマー
シャルを視聴した回数を知ることができる。また、視聴者はコマーシャルを視聴しなけれ
ば応募券を得ることができないので、よりコマーシャルに注視するようになり、コマーシ
ャルの効果があがることとなる。また、キャンペーンは、テレビ放送により案内されるの
で、不特定多数の者へ広範にキャンペーンを知らしめることができる。
【００３５】
［Ｂ．第２実施形態］
［Ｂ−１．第２実施形態の構成］
次に、本発明の第２実施形態について説明する。図７は、本実施形態に係わる通信シス
テムの全体構成を例示した図である。図に示したように、本実施形態においては、テレビ
ジョン受像機１００が公衆電話網６００に接続されている点と、公衆電話網６００に接続
されているサーバ装置が有る点が第１実施形態と異なる。なお、以下に説明する第２実施
形態において、第１実施形態と構成が同じ部分については第１実施形態と同じ符号を付し
、その説明を省略する。
【００３６】
＜ＢＭＬデータ＞
本実施形態において、コマーシャルに関連したページを表すＢＭＬデータは、双方向サ
ービスに対応している。このＢＭＬデータがＢＭＬブラウザにより解釈されると、図８に
例示したように、キャンペーンの説明と、双方向サービスを受けるためのキーを説明する
ページが表示される。また、ＢＭＬデータの「ｈｅａｄ」タグ内には、属性値としてコマ
ーシャルを一意に識別するＣＭ識別子を持つ「CommercialId」というタグが記述されてい
る。例えば、ＣＭ識別子が「ＩＤ００１」である場合、ＢＭＬデータ中の「ｈｅａｄ」タ
グ内に「＜CommercialId＞ＩＤ００１＜／CommercialId＞」という文字列が記述される。
【００３７】
＜テレビジョン受像機１００の構成＞
記憶部１０５は、視聴者の氏名を表す氏名データと、視聴者の住所を示す住所データを
記憶している。これらのデータは、リモートコントローラ１１３を用いたメニュー操作に
より記憶部１０５に記憶される。また、記憶部１０５は、サーバ装置３００と通信を行い
、双方向サービスを実現するために、サーバ装置３００に付与されている電話番号を記憶
している。
また、本実施形態において、テレビジョン受像機１００にて実現されるＢＭＬブラウザ
は、上述した「CommercialId」タグを解釈可能となっており、双方向サービスによりサー
バ装置３００へデータを送信する際、このタグ内に記述されたＣＭ識別子と、記憶部１０
５に記憶されている氏名データおよび住所データをサーバ装置３００へ送信する。
【００３８】
＜サーバ装置３００の構成＞
サーバ装置３００は、テレビジョン受像機１００が双方向サービスにおける通信を行う
際の接続先となる装置である。サーバ装置３００のハードウェア構成のうち、本発明に係
わる部分の構成を図９に示す。図９に示したように、サーバ装置３００の各部は、バス３
０１に接続されており、このバス３０１を介して各部間でデータの授受を行う。
【００３９】
通信部３０６は、モデム（図示略）を具備しており、通信線（図示略）で公衆電話網６
００に接続されている。通信部３０６は、同じく公衆電話網６００に接続されている他の
装置とデータ通信を行う通信インターフェースとして機能する。通信部３０６は、ＣＰＵ
３０２の制御の下、公衆電話網６００から送られたデータをＣＰＵ３０２へ供給し、ＣＰ
Ｕ３０２から供給されたデータを公衆電話網６００へ送出する。
【００４０】
記憶部３０５は、データを永続的に記憶するハードディスク装置を具備しており、各種
プログラムやデータを記憶している。また、記憶部３０５は、図１０に示したフォーマッ
トの応募者テーブルＴＢ１を記憶している。この応募者テーブルＴＢ１には、図１０に示
したように、キャンペーンの応募者の氏名および住所と、キャンペーンの応募者に視聴さ
れたコマーシャルを特定する識別子が格納される。
【００４１】
ＲＯＭ３０３は、例えば、ＩＰＬ（Initial Program Loader）と呼ばれるプログラムを
記憶している。ＣＰＵ３０２は、図示を省略した電源から電力が供給されると、ＲＯＭ３
０３からＩＰＬを読み出して実行する。ＣＰＵ３０２は、ＩＰＬを実行すると、記憶部３
０５に記憶されているサーバプログラムを読み出して起動し、ＲＡＭ３０４を作業エリア
としてサーバ装置３００の各部の制御を行う。ＣＰＵ３０２がサーバプログラムを起動す
ると、サーバ装置３００はクライアントとなる装置と通信を行い各種動作を行うサーバ装
置として機能する。具体的には、ＣＰＵ３０２は、テレビジョン受像機１００から送信さ
れるデータを受信して、受信したデータを応募者テーブルＴＢ１に格納するという動作を
行う。
【００４２】
［Ｂ−２．第２実施形態の動作］
次に、本実施形態の動作について説明する。
なお、以下の説明において、送信機４００からは、第１ページと、第２ページとが放送
される場合を想定し、第１ページには、ＣＭ識別子として「ＩＤ００１」、第２ページに
はＣＭ識別子として「ＩＤ００２」が付与されている場合を想定する。
【００４３】
送信機４００が、第１のパターンのコマーシャルの映像データと、第１のパターンのコ
マーシャルのＢＭＬデータと、第２のパターンのコマーシャルのＢＭＬデータとを送り出
してから、テレビジョン受像機１００においてＢＭＬブラウザが起動され、第１のパター
ンのコマーシャルに連動しているページ（図８参照）が表示されるまでの動作は、上述し
た第１実施形態と同様であるため、その説明を省略する。
【００４４】
図８に例示したページが表示された後、視聴者が、キャンペーンに応募すべく、このペ
ージに表示されている案内に従って、リモートコントローラ１１３の「青」キーを押下す
ると、「青」キーを示す赤外線信号がリモートコントローラ１１３から出力される。この
赤外線信号が赤外線受信部１１２にて受信されると、赤外線信号は電気信号に変換されて
ＣＰＵ１０２へ供給される。ＣＰＵ１０２は、「青」キーが押下されたことを示す電気信
号が入力されると、表示部１１１に表示されているページを表すＢＭＬデータを解釈し、
ＢＭＬデータ中の「CommercialId」タグ内に記述されている、ＣＭ識別子「ＩＤ００１」
を抽出する。また、ＣＰＵ１０２は、サーバ装置３００に付与されている電話番号と、氏
名データと、住所データとを記憶部１０５から読出す（図１２：ステップＳＢ１）。
【００４５】
ＣＰＵ１０２は、記憶部１０５からこれらのデータを読出すと、通信部１１４を制御し
、読出した電話番号を用いて、ダイヤルアップ接続によりサーバ装置３００に接続する（
ステップＳＢ２）。ダイヤルアップ接続により、テレビジョン受像機１００とサーバ装置
３００とが接続されると、ＣＰＵ１０２は、ＣＭ識別子と、氏名データおよび住所データ
をサーバ装置３００へ送信する（ステップＳＢ３）。ＣＰＵ１０２は、データの送信が終
了すると、ダイヤルアップによって接続した回線を切断する（ステップＳＢ４）。
【００４６】
これらのデータがサーバ装置３００の通信部３０６にて受信されると（図１３ステップ
ＳＣ１：ＹＥＳ）、サーバ装置３００のＣＰＵ３０２は、受信した氏名データをキーにし
て、応募者テーブルＴＢ１を検索する。ＣＰＵ３０２は、検索キーとした氏名データが見
つからない場合には（ステップＳＣ２：ＮＯ）、受信した氏名データと、住所データと、
ＣＭ識別子とを、応募者テーブルＴＢ１の空白の行に格納する（ステップＳＣ４）。
【００４７】
この後、送信機４００が、第２のパターンのコマーシャルの映像データを含むデジタル
テレビ信号を出力すると、このデジタルテレビ信号は、送信アンテナ５００から電波とし
て送り出される。この電波が、アンテナ１５０にてとらえられると、上述した動作と同様
に、第２のパターンのコマーシャルの映像を表す映像信号が生成され、第２のパターンの
コマーシャル映像が表示部１１１に表示される。
【００４８】
第２のパターンのコマーシャル映像が表示されると、これに伴い、第２のパターンのコ
マーシャルに関連したＢＭＬデータがデータ格納部１０９から読出され、読出されたＢＭ
ＬデータがＢＭＬブラウザにより解釈される。読出されたＢＭＬデータがＢＭＬブラウザ
により解釈されると、図１１に示したページを表す画像データがＣＰＵ１０２により生成
される。
【００４９】
視聴者がキャンペーンに応募すべく、このページに表示されている案内に従って、リモ
ートコントローラ１１３の「青」キーを押下すると、「青」キーを示す赤外線信号がリモ
ートコントローラ１１３から出力される。この赤外線信号が赤外線受信部１１２にて受信
されると、赤外線信号は電気信号に変換されてＣＰＵ１０２へ供給される。ＣＰＵ１０２
は、「青」キーが押下されたことを示す電気信号が入力されると、表示部１１１に表示さ
れているページを表すＢＭＬデータを解釈し、ＢＭＬデータ中の「CommercialId」タグ内
に記述されている、ＣＭ識別子「ＩＤ００２」を抽出する。また、ＣＰＵ１０２は、サー
バ装置３００に付与されている電話番号と、氏名データと、住所データとを記憶部１０５
から読出す（ステップＳＢ１）。
【００５０】
ＣＰＵ１０２は、記憶部１０５からこれらのデータを読出すと、通信部１１４を制御し
、読出した電話番号を用いて、ダイヤルアップ接続によりサーバ装置３００に接続する（
ステップＳＢ２）。ダイヤルアップ接続により、テレビジョン受像機１００とサーバ装置
３００とが接続されると、ＣＰＵ１０２は、ＣＭ識別子と、氏名データおよび住所データ
をサーバ装置３００へ送信する（ステップＳＢ３）。ＣＰＵ１０２は、データの送信が終
了すると、ダイヤルアップによって接続した回線を切断する（ステップＳＢ４）。
【００５１】
これらのデータがサーバ装置３００の通信部３０６にて受信されると（ステップＳＣ１
：ＹＥＳ）、サーバ装置３００のＣＰＵ３０２は、受信した氏名データをキーにして、応
募者テーブルＴＢ１を検索する。ＣＰＵ３０２は、検索キーとした氏名データを見つける
と、受信したＣＭ識別子を氏名データに対応付けて格納する（ステップＳＣ２：ＹＥＳ、
ステップＳＣ３）。
【００５２】
ＣＰＵ３０２は、テレビジョン受像機１００から送信されるデータを受信する一方、日
時を計時する。ＣＰＵ３０２は、日付が、キャンペーンの終了日を過ぎたと判断すると、
応募者テーブルＴＢ１に格納されているデータのうち、２つのＣＭ識別子が格納されてい
る行の氏名データを抽出する。例えば、図１０に示した応募者テーブルＴＢ１からは、「
太郎」や「二郎」といった氏名データが抽出される。ＣＰＵ３０２は、氏名データを抽出
すると、キャンペーンの当選者と同じ数の氏名データを抽出し、抽出した氏名データで特
定される人物をキャンペーンの当選者とする。
【００５３】
以上説明したように、本実施形態によれば、応募者がコマーシャルを視聴した回数や、
視聴したコマーシャルの種類を知ることができる。また、視聴者はコマーシャルを視聴し
なければ、キャンペーンに応募ができないので、よりコマーシャルに注視するようになり
、コマーシャルの効果をあげることが可能となる。また、キャンペーンは、テレビ放送に
より案内されるので、不特定多数の者へ広範にキャンペーンを知らしめることができる。
【００５４】
［Ｃ．第３実施形態］
［Ｃ−１．第３実施形態の構成］
次に、本発明の第３実施形態について説明する。なお、以下に説明する第３実施形態に
おいて、上述した実施形態と構成が同じ部分については同じ符号を付し、その説明を省略
する。
【００５５】
＜プリンタ装置２００の構成＞
プリンタ装置２００のハードウェア構成のうち、本発明に係わる部分の構成を図１４に
示す。図１４に示したように、本実施形態においては、印刷部２０７が、使用したインク
の量を検知するインク量検知部２０８を具備している点が、上述した実施形態と異なる。
インク量検知部２０８は、例えば、特開２００３−３４１０８８号公報に記載されてい
るように、印刷を行う際にインクジェットヘッドに流れる電流を検知し、印刷を行う際に
使用したインクの量を検知した電流から求める。インク量検知部２０８は、ＣＰＵ２０２
から印刷が終了したことを知らせる信号を受け取ると、使用したインクの量を示すインク
量データをＣＰＵ２０２へ出力する。
【００５６】
ＣＰＵ２０２は、通信部２０６にて印刷データが受信されると、印刷部２０７を制御し
、受信した印刷データに従って、印刷を行う。ＣＰＵ２０２は、印刷が終了し、インク量
検知部２０８からインク量データを受け取ると、受け取ったインク量データと、プリンタ
装置２００の機種を識別する機種識別子を通信部２０６から出力する。
【００５７】
＜テレビジョン受像機１００の構成＞
本実施形態に係わる制御プログラムを実行しているＣＰＵ１０２は、表示部１１１にデ
ータ放送の画面を表示させている際、印刷を行う旨の指示が入力されると、インターフェ
ース部１０６を制御して印刷データを出力した後、プリンタ装置２００から送信されるイ
ンク量データと機種識別子を受信する。ＣＰＵ１０２は、インク量データと機種識別子を
受信すると、ダイヤルアップ接続によりサーバ装置３００に接続し、インク量データと、
機種識別子と、氏名データおよび住所データを送信する。
【００５８】
＜サーバ装置３００の構成＞
図１５は、本実施形態に係わるサーバ装置３００が記憶している応募者テーブルＴＢ２
のフォーマットを例示した図である。通信部３０６が、テレビジョン受像機１００から送
信されたインク量データ、機種識別子、氏名データおよび住所データを受信すると、ＣＰ
Ｕ３０２は、これらのデータをこの応募者テーブルＴＢ２に格納する。また、ＣＰＵ３０
２は、受信した氏名データと同じ氏名データが既に格納されている場合には、氏名データ
に対応付けて格納されているインク量データに、受信したインク量データを加算する。
【００５９】
［Ｃ−２．第３実施形態の動作］
次に、本実施形態の動作について説明する。
なお、送信機４００が、第１のパターンのコマーシャルの映像データと、第１のパター
ンのコマーシャルのＢＭＬデータと、第２のパターンのコマーシャルのＢＭＬデータとを
送り出してから、テレビジョン受像機１００においてＢＭＬブラウザが起動され、第１の
パターンのコマーシャルに連動しているページ（図２参照）が表示されるまでの動作は、
上述した第１実施形態と同様であるため、その説明を省略する。
【００６０】
このページを見た視聴者が、リモートコントローラ１１３の「印刷」ボタンを押下する
と、「印刷」ボタンが押下されたことを示す赤外線信号がリモートコントローラ１１３か
ら出力される。この赤外線信号が赤外線受信部１１２にて受信されると、赤外線信号は電
気信号に変換されてＣＰＵ１０２へ供給される。ＣＰＵ１０２は、「印刷」ボタンが押下
されたことを示す電気信号が入力されると（図１６ステップＳＡ１：ＮＯ、ステップＳＡ
６；ＹＥＳ）、表示中のページを表す印刷データを生成し（ステップＳＡ７）、インター
フェース部１０６を制御して、印刷データを出力する（ステップＳＡ８）。
【００６１】
この印刷データが接続ケーブルを介してプリンタ装置２００の通信部２０６に入力され
ると、プリンタ装置２００のＣＰＵ２０２は、入力された印刷データに従って、印刷部２
０７を制御し、印刷データが表す画像を印刷用紙に印刷する。ここでインク量検知部２０
８は、印刷が行われている間、印刷に使用されたインクの量を検知する。ＣＰＵ２０２は
、印刷が終了すると、印刷が終了したことを知らせる信号をインク量検知部２０８へ出力
する。インク量検知部２０８は、この信号を受け取ると、印刷に使用されたインクの量を
示すインク量データをＣＰＵ２０２へ出力する。ＣＰＵ２０２は、このインク量データを
受け取ると、受け取ったインク量データと、機種識別子とを通信部２０６を制御して出力
する。
【００６２】
通信部２０６から出力されたインク量データと機種識別子が、テレビジョン受像機１０
０のインターフェース部１０６にて受信されると（ステップＳＡ９：ＹＥＳ）、ＣＰＵ１
０２は、サーバ装置３００に付与されている電話番号と、氏名データと、住所データとを
記憶部１０５から読出す（ステップＳＡ１０）。
ＣＰＵ１０２は、記憶部１０５からこれらのデータを読出すと、通信部１１４を制御し
、読出した電話番号を用いて、ダイヤルアップ接続によりサーバ装置３００に接続する（
ステップＳＡ１１）。ダイヤルアップ接続により、テレビジョン受像機１００とサーバ装
置３００とが接続されると、ＣＰＵ１０２は、インク量データと、機種識別子と、氏名デ
ータおよび住所データをサーバ装置３００へ送信する（ステップＳＡ１２）。ＣＰＵ１０
２は、データの送信が終了すると、ダイヤルアップによって接続した回線を切断する（ス
テップＳＡ１３）。
【００６３】
これらのデータがサーバ装置３００の通信部３０６にて受信されると（図１７ステップ
ＳＤ１：ＹＥＳ）、サーバ装置３００のＣＰＵ３０２は、受信した氏名データをキーにし
て、応募者テーブルＴＢ２を検索する。ＣＰＵ３０２は、検索キーとした氏名データが見
つからない場合には（ステップＳＤ２：ＮＯ）、受信した氏名データと、住所データと、
インク量データと、機種識別子とを、応募者テーブルＴＢ２の空白の行に格納する（ステ
ップＳＤ４）。
【００６４】
この後、送信機４００が、第２のパターンのコマーシャルの映像データを含むデジタル
テレビ信号を出力すると、このデジタルテレビ信号は、送信アンテナ５００から電波とし
て送り出される。この電波が、アンテナ１５０にてとらえられると、上述した動作と同様
に、第２のパターンのコマーシャルの映像を表す映像信号が生成され、第２のパターンの
コマーシャル映像が表示部１１１に表示される。
【００６５】
第２のパターンのコマーシャル映像が表示されると、これに伴い、第２のパターンのコ
マーシャルに関連したＢＭＬデータがデータ格納部１０９から読出され、読出されたＢＭ
ＬデータがＢＭＬブラウザにより解釈される。読出されたＢＭＬデータがＢＭＬブラウザ
により解釈されると、図６に示したページを表す画像データがＣＰＵ１０２により生成さ
れる。
【００６６】
このページを見た視聴者が、リモートコントローラ１１３の「印刷」ボタンを押下する
と、「印刷」ボタンを示す赤外線信号がリモートコントローラ１１３から出力される。こ
の赤外線信号が赤外線受信部１１２にて受信されると、赤外線信号は電気信号に変換され
てＣＰＵ１０２へ供給される。ＣＰＵ１０２は、「印刷」ボタンが押下されたことを示す
電気信号が入力されると（ステップＳＡ１：ＮＯ、ステップＳＡ６；ＹＥＳ）、表示中の
ページを表す印刷データを生成し（ステップＳＡ７）、インターフェース部１０６を制御
して、印刷データを出力する（ステップＳＡ８）。
【００６７】
この印刷データが接続ケーブルを介してプリンタ装置２００の通信部２０６に入力され
ると、プリンタ装置２００のＣＰＵ２０２は、入力された印刷データに従って、印刷部２
０７を制御し、印刷データが表す画像を印刷用紙に印刷する。ここでインク量検知部２０
８は、印刷が行われている間、印刷に使用されたインクの量を検知する。ＣＰＵ２０２は
、印刷が終了すると、印刷が終了したことを知らせる信号をインク量検知部２０８へ出力
する。インク量検知部２０８は、この信号を受け取ると、印刷に使用されたインクの量を
示すインク量データをＣＰＵ２０２へ出力する。ＣＰＵ２０２は、このインク量データを
受け取ると、受け取ったインク量データと、機種識別子とを通信部２０６を制御して出力
する。
【００６８】
通信部２０６から出力されたインク量データと機種識別子が、テレビジョン受像機１０
０のインターフェース部１０６にて受信されると（ステップＳＡ９）、ＣＰＵ１０２は、
サーバ装置３００に付与されている電話番号と、氏名データと、住所データとを記憶部１
０５から読出す（ステップＳＡ１０）。
ＣＰＵ１０２は、記憶部１０５からこれらのデータを読出すと、通信部１１４を制御し
、読出した電話番号を用いて、ダイヤルアップ接続によりサーバ装置３００に接続する（
ステップＳＡ１１）。ダイヤルアップ接続により、テレビジョン受像機１００とサーバ装
置３００とが接続されると、ＣＰＵ１０２は、インク量データと、機種識別子と、氏名デ
ータおよび住所データをサーバ装置３００へ送信する（ステップＳＡ１２）。ＣＰＵ１０
２は、データの送信が終了すると、ダイヤルアップによって接続した回線を切断する（ス
テップＳＡ１３）。
【００６９】
これらのデータがサーバ装置３００の通信部３０６にて受信されると（ステップＳＤ１
：ＹＥＳ）、サーバ装置３００のＣＰＵ３０２は、受信した氏名データをキーにして、応
募者テーブルＴＢ２を検索する。ＣＰＵ３０２は、検索キーとした氏名データを見つける
と、氏名データに対応付けて格納されているインク量データが示す値に、受信したインク
量データが示す値を加算する（ステップＳＤ２：ＹＥＳ、ステップＳＤ３）。
【００７０】
ＣＰＵ３０２は、テレビジョン受像機１００から送信されるデータを受信する一方、日
時を計時する。ＣＰＵ３０２は、日付が、キャンペーンの終了日を過ぎたと判断すると、
応募者テーブルＴＢ２に格納されているインク量データのうち、予め定められた量以上の
インク量を示してるインク量データと、このインク量データに対応付けて格納されている
氏名データとを抽出する。ＣＰＵ３０２は、氏名データを抽出すると、予め定められた数
の氏名データを抽出し、抽出した氏名データで特定される人物を、インクカートリッジが
プレゼントされる当選者とする。
【００７１】
以上説明したように、本実施形態によれば、印刷された応募券により、応募者がコマー
シャルを視聴した回数を知ることができる。また、視聴者はコマーシャルを視聴しなけれ
ば応募券を得ることができないので、よりコマーシャルに注視するようになり、コマーシ
ャルの効果があがることとなる。また、キャンペーンは、テレビ放送により案内されるの
で、不特定多数の者へ広範にキャンペーンを知らしめることができる。また、応募券の印
刷が行われると、印刷に用いられる消耗品をプレゼントされる可能性があるので、応募者
は、よりコマーシャルを視聴するようになり、広告の効果をあげることができる。
【００７２】
［Ｄ．変形例］
以上、本発明の実施形態について説明したが、本発明は上述した実施形態に限定される
ことなく、他の様々な形態で実施可能である。例えば、上述の実施形態を以下のように変
形して本発明を実施してもよい。
【００７３】
上述した第１実施形態においてキャンペーンの応募方法は、複数種類の応募券を印刷し
て郵送することとしているが、キャンペーンへの応募方法は、一つの種類の応募券を複数
枚印刷し、これらの応募券を郵送する方法としてもよい。
【００７４】
上述した第３実施形態においては、プリンタ装置２００がサーバ装置３００と通信を行
うようにしてもよい。また、第３実施形態においては、インクの使用量をポイント化し、
このポイントを用いて、インクカートリッジの当選者を決定するようにしてもよい。
また、各実施形態においては、テレビジョン受像機１００とプリンタ装置２００は別体
となっているが、テレビジョン受像機１００とプリンタ装置２００は一体化されていても
よい。
【００７５】
上述した実施形態では、デジタルテレビ放送を例に説明したが、テレビ放送に限定され
るものではなく、ラジオ放送を利用してもよい。また、ケーブルテレビによる放送や、イ
ンターネットでのストリーミング配信を利用するようにしてもよい。
【００７６】
上述した実施形態において、テレビジョン受像機１００は、ダイヤルアップではなく、
例えば、ＤＳＬ（Digital Subscriber Line）や光ファイバー等による常時接続による構
成で、インターネットを介してサーバ装置３００と通信を行うようにしてもよい。
また、氏名データや住所データは、予め記憶部１０５に記憶させておくのではなく、デ
ータの送信時に、これらのデータの入力画面を表示し、データの入力をテレビジョン受像
機１００の使用者に促して入力させるようにしてもよい。
【００７７】
上述した第２実施形態において、サーバ装置３００は、テレビジョン受像機１００と通
信を行った回数をカウントし、所定の回数以上の通信を行った者を、キャンペーンの応募
資格がある者としてもよい。
また、この態様においては、サーバ装置３００は、所定の回数以上の通信を行ったテレ
ビジョン受像機１００に対して応募券をＢＭＬデータを送信し、視聴者は、テレビジョン
受像機１００とプリンタ装置２００を用い、この送信されたＢＭＬデータが示す応募券を
印刷してキャンペーンに応募するようにしてもよい。
【図面の簡単な説明】
【００７８】
【図１】本発明の第１実施形態に係る通信システムの全体構成を示す図である。
【図２】同実施形態に係わるテレビジョン受像機に表示されるページを例示した図である。
【図３】同実施形態に係わるプリンタ装置の構成を例示した図である。
【図４】同実施形態に係わるテレビジョン受像機の構成を例示した図である。
【図５】同実施形態においてＣＰＵ１０２が行う処理の流れを示すフローチャートである。
【図６】同実施形態に係わるテレビジョン受像機に表示されるページを例示した図である。
【図７】本発明の第２実施形態に係わる通信システムの全体構成を示す図である。
【図８】同実施形態に係わるテレビジョン受像機に表示されるページを例示した図である。
【図９】同実施形態に係わるサーバ装置の構成を例示した図である。
【図１０】同実施形態に係わるサーバ装置が記憶している応募者テーブルＴＢ１のフォーマットを示す図である。
【図１１】同実施形態に係わるテレビジョン受像機に表示されるページを例示した図である。
【図１２】同実施形態においてＣＰＵ１０２が行う処理の流れを示すフローチャートである。
【図１３】同実施形態においてＣＰＵ３０２が行う処理の流れを示すフローチャートである。
【図１４】本発明の第３実施形態に係わるプリンタ装置の構成を例示した図である。
【図１５】同実施形態に係わるサーバ装置が記憶している応募者テーブルＴＢ２のフォーマットを示す図である。
【図１６】同実施形態においてＣＰＵ１０２が行う処理の流れを示すフローチャートである。
【図１７】同実施形態においてＣＰＵ３０２が行う処理の流れを示すフローチャートである。
【符号の説明】
【００７９】
１００・・・テレビジョン受像機、１０１・・・制御部、１０２・・・ＣＰＵ、１０３
・・・ＲＯＭ、１０４・・・ＲＡＭ、１０５・・・記憶部、１０６・・・インターフェー
ス部、１０７・・・チューナ部、１０８・・・デコード部、１０９・・・データ格納部、
１１０・・・映像信号処理部、１１１・・・表示部、１１２・・・赤外線受信部、１１３
・・・リモートコントローラ、１１４・・・通信部、１１５・・・音声信号処理部、１５
０・・・アンテナ、２００・・・プリンタ装置、２０１・・・バス、２０２・・・ＣＰＵ
、２０３・・・ＲＯＭ、２０４・・・ＲＡＭ、２０５・・・記憶部、２０６・・・通信部
、２０７・・・印刷部、２０８・・・インク量検知部、３００・・・サーバ装置、３０１
・・・バス、３０２・・・ＣＰＵ、３０３・・・ＲＯＭ、３０４・・・ＲＡＭ、３０５・
・・記憶部、３０６・・・通信部、４００・・・送信機、５００・・・送信アンテナ、６
００・・・公衆電話網。
【図１】
2005268880.tif 000003
【図２】
2005268880.tif 000004
【図３】
2005268880.tif 000005
【図４】
2005268880.tif 000006
【図５】
2005268880.tif 000007
【図６】
2005268880.tif 000008
【図７】
2005268880.tif 000009
【図８】
2005268880.tif 000010
【図９】
2005268880.tif 000011
【図１０】
2005268880.tif 000012
【図１１】
2005268880.tif 000013
【図１２】
2005268880.tif 000014
【図１３】
2005268880.tif 000015
【図１４】
2005268880.tif 000016
【図１５】
2005268880.tif 000017
【図１６】
2005268880.tif 000018
【図１７】
2005268880.tif 000019